(57)【要約】【課題】ごみ袋に詰める対象物が、シュレッダーの切り屑や紙くず、建築現場で廃棄される養生用のビニールシートなどのように、対象物が小さく分離していたり、吸引されやすいものであっても、ノズルの吸引孔に対象物がまとわりついて、空気の吸引が妨げられることを防止する吸引ノズルを提供する。【解決手段】中央に配設される中央管と、該中央管と軸方向を同じくし該中央管の周囲を囲む複数の外周管からなる吸引ノズルであって、中央に配設される中央管の側面に空気吸引孔が空けられ、該中央管の周囲を囲む複数の外周管の側面内向き側に空気吸引孔が空いている。【選択図】    図３
2007089844.tif 000002
【特許請求の範囲】
【請求項１】
中央に配設される中央管と、該中央管と軸方向を同じくし該中央管の周囲を囲む複数の外周管からなる吸引ノズル。
【請求項２】
中央に配設される中央管の側面に、空気吸引孔が複数空いていることを特徴とする請求項１に記載の吸引ノズル。
【請求項３】
中央に配設される中央管と軸方向を同じくし、該中央管の周囲を囲む複数の外周管の側面内向き側に空気吸引孔が複数空いていることを特徴とする請求項１又は２に記載の吸引ノズル。
【請求項４】
中央に配設される中央管と軸方向を同じくし、該中央管の周囲を囲む複数の外周管と中央に配設される中央管の間にスペーサーを介設したことを特徴とする請求項１乃至３に記載の吸引ノズル。
【発明の詳細な説明】
【技術分野】
【０００１】
本発明は、吸引ノズルに関する。詳しくは、シュレッダーの切りくずや紙くず、建築現場で廃棄される養生用のビニールシートなどが詰まったごみ袋から空気を抜き取ってごみ袋を圧縮する際に使用する掃除機のホースに取り付ける吸引ノズルの他個体物、流体物が混在した中から流体物だけを効果的に吸引する吸引ノズルに関する。
【背景技術】
【０００２】
寝具を収納する際、ビニール袋に寝具をいれ、掃除機のノズルをビニール袋の中に差し込み、掃除機を稼働させることでビニール袋内の空気を吸引し寝具の入ったビニール袋の容積を小さくして、収納することが広く行われている。
【０００３】
このとき、掃除機のホースの先に取り付ける吸引ノズルは図８（イ）に示すような、ノズルの端部が解放された形状をしている。
【０００４】
寝具など一体的な物を圧縮する際は、問題なく空気を吸引することができるが、ごみ袋に詰める対象物が、シュレッダーの切りくずや紙くず、建築現場で廃棄される養生用のビニールシートなどのように、対象物が小さく分離していたり、吸引されやすいものであると、ノズルの端部にまとわりついてうまく空気を吸引できない。図８（ロ）に示すような、吸引ノズルの側面に空気吸引孔が空けられた形状をした吸引ノズルもあるが、効果に大差はない。ノズルの吸引孔へのまとわりを防止できる吸引ノズルとして登録実用新案第３０４３４２１号公報に示される吸引ノズルが開示されている。
【特許文献１】登録実用新案第３０４３４２１号公報
【発明の開示】
【発明が解決しようとする課題】
【０００５】
最近は、寝具を圧縮して収納するだけでなく、営業秘密の漏洩防止のため書類をシュレッダー処理することが増え、シュレッダーの切りくずの処理が問題となっている。また、建築現場においても、外壁を塗装する際養生シートとしてビニールシートを使用するが、産業廃棄物として廃棄する際容積が大きくてかさばるといった問題があった。
【０００６】
そこで、本発明では、ごみ袋に詰める対象物が、シュレッダーの切りくずや紙くず、建築現場で廃棄される養生用のビニールシートなどのように、対象物が小さく分離していたり、吸引されやすいものであっても、ノズルの吸引孔に対象物がまとわりついて、空気の吸引が妨げられることを防止する吸引ノズルを提供することを目的とする。
【課題を解決するための手段】
【０００７】
上記の課題は、中央に配設される中央管と、該中央管と軸方向を同じくし該中央管の周囲を囲む複数の外周管からなる吸引ノズルによって解決される。
【０００８】
この吸引ノズルは、中央に配設される中央管と軸方向を同じくし該中央管の周囲を囲む複数の外周管どうしの間から空気を吸引することができるため、空気を吸引する際、紙くずやビニールシートノズルの吸引孔にまとわりついたとしても、ノズルの周囲に完全に巻き付くことがなく、効果的に空気を吸引することができる。
【０００９】
上記の構造で、中央に配設される中央管の周囲に、空気吸引孔が空いているとよい。
【００１０】
この場合、中央に配設される中央管と軸方向を同じくし該中央管の周囲を囲む複数の外周管どうしの隙間から吸引された空気は、外周管どうしの縦方向の隙間だけでなく、中央に配設される中央管の周囲に空けられた空気吸引孔を通って吸引されるので、より効果的に空気が吸引される。
【００１１】
さらに、中央に配設される中央管と軸方向を同じくし、該中央管の周囲を囲む複数の外周管の側面内向き側に空気吸引孔が空いているとよい。
【００１２】
この場合、中央に配設される中央管と、該中央管と軸方向を同じくし該中央管の周囲を囲む複数の外周管に空気吸引孔が設けられているので、より効果的に空気が吸引される。なお、空気吸引孔が空けられているのは、中央に配設される中央管と相対する向き、つまり内側を向いているので空気を吸引しても、空気吸引孔に紙くずやビニールシートがノズルに完全に巻き付くことがなく、効果的に空気を吸引することができる。
【００１３】
また、中央に配設される中央管と軸方向を同じくし、該中央管の周囲を囲む複数の外周管と中央に配設される中央管の間にスペーサーが介設されているとよい。
【００１４】
この場合、介設されたスペーサーによってそれぞれの外周管どうしの隙間が広がるため、より効果的に空気を吸引することができる。とくに、吸引力の大きな掃除機を使用する場合にその効果は絶大である。
【発明の効果】
【００１５】
本発明は以上のとおりであるから、ごみ袋に詰める対象物が、シュレッダーの切りくずや紙くず、建築現場で廃棄される養生用のビニールシートなどのように、対象物が小さく分離してたり、吸引されやすいものであっても、ノズルの吸引孔に対象物が付着して、空気の吸引が妨げられることを防止する吸引ノズルを提供することができる。
【発明を実施するための最良の形態】
【００１６】
次に、本発明の実施最良形態を図面に基づいて説明する。
【００１７】
図１（イ）に第１の実施形態の吸引ノズルを示す。１は中央に配設される中央管、２は中央管１の周囲を囲む外周管である。外周管２は中央管１の周囲をその軸方向を同じくし中央管１の周囲を囲むように配設されている。また、図示しないが中央管、外周管の軸方向両端部には、複数の中央管、外周管をひとまとめにするとともに、掃除機のホースに着脱自在に挿入接続するためのアタッチメントがとりつけられている。
【００１８】
本実施例の吸引ノズルの空気の吸引経路を図１ (ロ) （ハ）に示す。図１（ロ）は吸引ノズルの断面図、図１(ハ)は吸引ノズルの側面図である。図中に示す矢印は空気の流れを示す。吸引ノズルの端部を掃除機のホースに挿入接続し、掃除機を作動させることによって、掃除機のホースを介して空気が吸引される。吸引される空気は図１の矢印で示すように本実施形態の吸引ノズルを構成する外周管２どうしの隙間及び吸引ノズルの掃除機のホースに挿入される端部と反対側の端部から吸引される。
【００１９】
それぞれの外周管２は中央に配設される中央管１の周囲を囲むように配設されており、外周管２どうしはその軸方向側面を接するように配設されている。このため外周管２どうしの隙間は、空気の吸引力や吸引ノズルにかかる曲げ応力によって生じる微小な隙間となる。また、この隙間は吸引ノズルの一方の端部から掃除機のホースに挿入接続される端部まで、全長にわたって存在する。この隙間を通って空気が吸引されるため、シュレッダーの小さな紙くずやビニールシートなど吸引されやすい対象物の場合であっても、吸引ノズルの全体にわたってまとわりつくことなく、効果的に空気を吸引することができる。
【００２０】
外周管２どうしの隙間から吸引された空気は、中央管１と外周管２との間にできる隙間６を通って掃除機のホースへと吸引される。また、吸引ノズルの掃除機のホースに挿入接続される端部と反対側の端部は中央管１，外周管２の端部が開口されたままになっており、シュレッダーの小さな紙くずやビニールシートなど吸引対象物がまとわりつくことがあるが、この吸引対象物がまとわりついてこの端部より空気が吸引されなくなっても、吸引ノズル側面の外周管２どうしの隙間から空気は効果的に吸引されるため、吸引作業は効果的に行われる。
【００２１】
図２（イ）に第２の実施形態の吸引ノズルを示す。図２（イ）に示す吸引ノズルにおいて、３は中央に配設される中央管、２は中央管３の周囲を囲む外周管である。中央管３は側面に空気吸引孔９が中央管３の全長にわたり複数空けられている。外周管２は中央管３の周囲をその軸方向を同じくし中央管３の周囲を囲むように配設されている。また、図示しないが中央管、外周管の軸方向両端部には、複数の中央管、外周管をひとまとめにするとともに、掃除機のホースに着脱自在に挿入接続するためのアタッチメントがとりつけられている。
【００２２】
本実施例の吸引ノズルの空気の吸引経路を図２ (ロ) （ハ）に示す。図２（ロ）は吸引ノズルの断面図、図２(ハ)は吸引ノズルの側面図である。図中に示す矢印は空気の流れを示す。吸引ノズルの端部を掃除機のホースに挿入接続し、掃除機を作動させることによって、掃除機のホースを介して空気が吸引される。吸引される空気は図２の矢印で示すように本実施形態の吸引ノズルを構成する外周管２どうしの隙間及び吸引ノズルの掃除機のホースに挿入される端部と反対側の端部から吸引される。
【００２３】
それぞれの外周管２は中央に配設される中央管３の周囲を囲むように配設されており、外周管２どうしはその軸方向側面を接するように配設されている。このため外周管２どうしの隙間は、空気の吸引力や吸引ノズルにかかる曲げ応力によって生じる微小な隙間となる。また、この隙間は吸引ノズルの一方の端部から掃除機のホースに挿入接続される端部まで、全長にわたって存在する。この隙間を通って空気が吸引されるため、シュレッダーの小さな紙くずやビニールシートなど吸引されやすい対象物の場合であっても吸引ノズルの全体にわたってまとわりつくことがなく、効果的に空気を吸引することができる。
【００２４】
外周管２どうしの隙間から吸引された空気は、中央管３と外周管２との間にできる隙間６および中央管３の中央部７を通って掃除機のホースへと吸引される。つまり、外周管２どうしの隙間から吸引された空気の一部は中央管３と外周管２の隙間６を通って掃除機のホースへと吸引されるが、その一部は中央管３の側面に設けられた空気吸引孔９から中央管３の中央部７に吸引され中央管３の中央部７を通って掃除機のホースへと吸引される。掃除機のホースの方へと吸引される空気の流れの経路が隙間６，７と確保されるため、十分な空気の流れの経路が確保され効果的に空気を吸引することができる。また、吸引ノズルの掃除機のホースに挿入接続される端部と反対側の端部は中央管３，外周２の端部が開口されたままになっており、シュレッダーの小さな紙くずやビニールシートなど吸引対象物がまとわりつくことがあるが、この吸引対象物がまとわりついてこの端部より空気が吸引されなくなっても、吸引ノズル側面の外周管２どうしの隙間から空気は効果的に吸引されるため、吸引作業は効果的に行われる。
【００２５】
図３（イ）に第３の実施形態の吸引ノズルを示す。図３（イ）に示す吸引ノズルにおいて、３は中央に配設される中央管、４は中央管３の周囲を囲む外周管である。中央管３は側面に空気吸引孔９が中央管３の全長にわたり複数空けられている。外周管４は中央管３の周囲をその軸方向を同じくし中央管３の周囲を囲むように配設されている。外周管４は中央管３と相対する向き、つまり内側を向いて空気吸引孔９が外周管４の全長にわたり複数空けられている。また、図示しないが中央管、外周管の軸方向端部には、複数の中央管、外周管をひとまとめにするとともに、掃除機のホースに着脱自在に挿入接続するためのアタッチメントがとりつけられている。
【００２６】
本実施例の吸引ノズルの空気の吸引経路を図３(ロ)（ハ）に示す。図３（ロ）は吸引ノズルの断面図、図３(ハ)は吸引ノズルの側面図である。図中に示す矢印は空気の流れを示す。吸引ノズルの端部を掃除機のホースに挿入接続し、掃除機を作動させることによって、掃除機のホースを介して空気が吸引される。吸引される空気は図３の矢印で示すように本実施形態の吸引ノズルを構成する外周管４どうしの隙間及び吸引ノズルの掃除機のホースに挿入される端部と反対側の端部から吸引される。
【００２７】
それぞれの外周管４は中央に配設される中央管３の周囲を囲むように配設されており、外周管４どうしはその軸方向側面を接するように配設されている。このため外周管４どうしの隙間は、空気の吸引力や吸引ノズルにかかる曲げ応力によって生じる微小な隙間となる。また、この隙間は吸引ノズルの一方の端部から掃除機のホースに挿入接続される端部まで、全長にわたって存在する。この隙間を通って空気が吸引されるため、シュレッダーの小さな紙くずやビニールシートなど吸引対象物の場合であっても吸引ノズルの全体にわたってまとわりつくことがなく、効果的に空気を吸引することができる。
【００２８】
管４どうしの隙間から吸引された空気は、中央管３と外周管４との間にできる隙間６、中央管３の中央部７、外周管４の中央部８を通って掃除機のホースへと吸引される。つまり、外周管４どうしの隙間から吸引された空気の一部は中央管３と外周管４の隙間６を通って掃除機のホースへと吸引されるが、その一部は中央管３の側面に設けられた空気吸引孔９から中央管３の中央部７に吸引され中央管３の中央部７を通って掃除機のホースへと吸引され、またその一部は外周管４の側面に設けられた空気吸引孔９から外周管４の中央部８に吸引され外周管４の中央部８を通って掃除機のホースへと吸引される。掃除機のホースへと吸引される空気の流れの経路が隙間６，７、８と確保されるため、十分な空気の流れの経路が確保され効果的に空気を吸引することができる。また、吸引ノズルの掃除機のホースに挿入接続される端部とは反対側の端部は中央管３，外周管４の端部が開口されたままになっており、シュレッダーの小さな紙くずやビニールシートなど吸引対象物がまとわりつくことがあるが、この吸引対象物がまとわりついてこの端部より空気が吸引されなくなっても、吸引ノズル側面の外周管４どうしの隙間から空気は効果的に吸引されるため、吸引作業は効果的に行われる。
【００２９】
図４（イ）に第４の実施形態の吸引ノズルを示す。図４（イ）に示す吸引ノズルにおいて、３は中央に配設される中央管、４は中央管３の周囲を囲む外周管、５は中央管３と外周管４の間に中央管３と同軸上に軸方向中央部に挿入されるスペーサーとしての管である。中央管３は側面に空気吸引孔９が中央管３の全長にわたり多数空けられている。外周管４は中央管３の周囲をその軸方向を同じくし中央管３の周囲を囲むように配設されている。外周管４は中央管３と相対する向き、つまり内側を向いて空気吸引孔９が外周管４の全長にわたり複数空けられている。また、図示しないが中央管、外周管の軸方向端部には、複数の中央管、外周管をひとまとめにするとともに、掃除機のホースに着脱自在に挿入接続するためのアタッチメントがとりつけられている。
【００３０】
本実施例の吸引ノズルの空気の吸引経路を図４(ロ)（ハ）に示す。図４（ロ）は吸引ノズルの断面図、図４(ハ)は吸引ノズルの側面図である。図中に示す矢印は空気の流れを示す。吸引ノズルの端部を掃除機のホースに挿入接続し、掃除機を作動させることによって、掃除機のホースを介して空気が吸引される。吸引される空気は図４の矢印で示すように本実施形態の吸引ノズルを構成する外周管４どうしの隙間及び吸引ノズルの掃除機のホースに挿入される端部と反対側の端部から吸引される。
【００３１】
スペーサーとしての管５が中央管３と外周管４との間に配設されているため、吸引ノズルの中央部において外周管４が軸方向中央部を中心に撓んだ状態となり、中央管３と外周管４および外周管４どうしに大きな隙間ができる。このため、効率的に外部から空気を吸引することができる。とくに掃除機の出力が大きい場合や大きなゴミなどが入っているごみ袋の吸引を行う際は、きわだった効果を発揮する。
【００３２】
なお、中央管３と外周管４および外周管４どうしの隙間をあけるために本実施形態では中央管３と同軸上に軸方向中央部にスペーサーとしての管５を挿入したが、これに限られることはなく、中央管３と外周管４および外周管４どうしの隙間をあけるために中央管３と外周管４との間に球状や方形状のスペーサーを介設してもよい。
【００３３】
図６に吸引ノズル１０を示す。１１は吸引ノズル結束部、１２は吸引ノズルと掃除機ホース部とのアタッチメント、１３は管である。図７に吸引ノズルの使用例であって、ごみ袋から空気を吸引している状況を示す斜視図を示す。１５は掃除機ホース部、１６はごみ袋、１７は紙くずである。
【００３４】
以上に、本発明の実施形態を示したが、本発明はこれに限られるものではなく、発明思想を逸脱しない範囲で各種の変更が可能である。例えば、管の構成は、中央に配設された中央管の周囲に２層に外周管を配設していてもよいし、さらに複層の外周管で取り囲むように配設してもよい。本発明の構成は、複数の管が軸方向を同じくし配設されている場合において、管どうしの隙間から効果的に空気を吸引することであるから、中央に配設される中央管の周囲に１層に配設されるだけでなく、複層の外周管で取り囲むようにしても本発明の効果を発揮することができる。図５に中央に配設された中央管の周囲に２層に外周管を配設した実施例を示す。
【００３５】
中央に配設される中央管は１本に限られる訳ではなく、２本でもよいし、３本でもよい。要は、複数の管が中央に配設される中央管の周囲に配設される構成になっていればよい。
【００３６】
管の材質は例えばアルミ、ステンレスなど金属、もしくは樹脂など、とくに材質に制限はなく、管形状に成形されるものであればよい。また、ノズルを構成する複数の管はすべて同じ材質である必要はなく、それぞれが異なっていてもよい。
【００３７】
また、実施例では吸引ノズルの軸方向端部には、複数の中央管、外周管をひとまとめにするとともに、掃除機のホースに着脱自在に挿入接続するためのアタッチメントがとりつけているが、これに限られるわけでなく、バンド、紐等などにより複数の中央管、外周管をひとまとめにしてもよく、掃除機のホースに複数の中央管、外周管を直接挿入接続するようにしてもよい。
【００３８】
また、実施例ではシュレッダーの切りくずやビニールシートなどの入ったごみ袋から空気を効果的に吸引することを目的としているが、これに限らずさまざまな対象物の入ったごみ袋から空気を吸引する際に使用できる他、ごみや水草などの浮いた水から水だけを吸引する際に使用する流体吸引用の吸引ノズルとしても効果的に使用することができる。
【図面の簡単な説明】
【００３９】
【図１】本発明の第１の実施形態を示す図であって図（イ）は斜視図、図（ロ）は軸方向断面図、図（ハ）は側面図である。
【図２】本発明の第２の実施形態を示す図であって図（イ）は切欠き斜視図、図（ロ）は軸方向断面図、図（ハ）は側面図である。
【図３】本発明の第３の実施形態を示す図であって図（イ）は切欠き斜視図、図（ロ）は軸方向断面図、図（ハ）は側面図である。
【図４】本発明の第４の実施形態を示す図であって図（イ）は切欠き斜視図、図（ロ）は軸方向断面図、図（ハ）は側面図である。
【図５】本発明の他の実施形態を示す軸方向断面図である。
【図６】本発明の吸引ノズルを示す斜視図である。
【図７】本発明の吸引ノズルの使用例を示す斜視図であって、ごみ袋から空気を吸引する状況を示す。
【図８】従来技術を示す斜視図であって、図（イ）は管状の吸引ノズル、図（ロ）は側面に空気吸引孔の空いた管状の吸引ノズルである。
【符号の説明】
【００４０】
１・・・中央に配設される中央管
２・・・中央管１の周囲を囲む外周管
３・・・空気吸引孔の空いた中央に配設される中央管
４・・・空気吸引孔の空いた中央管３の周囲を囲む外周管
５・・・スペーサーとしての管
６・・・中央管１と外周管２、中央管３と外周管２、中央管３と外周管４どうしの隙間
７・・・中央管３の中央部
８・・・外周管４の中央部
９・・・空気吸引孔
１０・・・吸引ノズル
１１・・・吸引ノズル結束部
１２・・・吸引ノズルと掃除機ホース部とのアタッチメント
１３・・・管
１５・・・掃除機ホース部
１６・・・ごみ袋
１７・・・紙くず
【図１】
2007089844.tif 000003
【図２】
2007089844.tif 000004
【図３】
2007089844.tif 000005
【図４】
2007089844.tif 000006
【図５】
2007089844.tif 000007
【図６】
2007089844.tif 000008
【図７】
2007089844.tif 000009
【図８】
2007089844.tif 000010